(57)【特許請求の範囲】
【請求項１】
押釦ハンドルが押し込まれたときに、この押釦ハンドルの押し込み動作にともなって反転ハンドルを反転回動させ、この反転ハンドルの反転回動に応じて接点部の切り換えを行うようにし、接点部の切り換えを表示する発光手段を備えた規格化された埋込型の配線器具の１個モジュールとなった押釦スイッチと、１個モジュールの押釦スイッチを上下方向に上、中、下の３個並べて取付けることのできる３個モジュールの取付け枠と、押釦スイッチの接点部の切り換えを行うようにした押釦スイッチの上部に軸支部により取付けられて上記押釦ハンドルをピアノタッチ操作で押圧する発光表示部を備えたピアノハンドルとを備え、上記３個モジュールの取付け枠に１個モジュールの押釦スイッチを上、中、下の３個並べて取付け、上用の押釦スイッチ、中用の押釦スイッチ、下用の押釦スイッチにそれぞれ押釦スイッチよりも上下長さの長い３個用のピアノハンドルを取付け、上記上用の押釦スイッチに取付ける３個用のピアノハンドル、中用の押釦スイッチに取付ける３個用のピアノハンドル、下用の押釦スイッチに取付ける３個用のピアノハンドルを共通のものとしたピアノハンドル式スイッチにおいて、各ピアノハンドルの下面部に各押釦スイッチの発光手段の光を発光表示部に導光するための共通のプリズムを設け、該プリズムが、発光表示部に対向する出射面と、出射面の背方に設けた、中用の押釦スイッチの発光表示部と対向する第１の入射面と、出射面の背方側から上向き及び下向きに設けられた側方突出プリズム部と上向き及び下向きの側方突出プリズム部の背面部に設けた、下用及び上用の押釦スイッチの発光表示部と対向する第２の入射面とを有し、第１及び第２の入射面に入射した発光手段からの光が、出射面から発光表示部に出射されるように構成し、上記各ピアノハンドルを押釦スイッチの上部に取付ける軸支部をピアノハンドルに設けた弾性体により形成され下開口がはめ込み用開口部となった軸受け部と、該弾性体により形成した軸受け部のはめ込み用開口部にはめ込まれる押釦スイッチの上部に設けた軸部とで構成し、軸部を軸受け部に嵌合して構成した軸支部を支点としてピアノハンドルにより押釦ハンドルを押圧自在として成ることを特徴とするピアノハンドル式スイッチ。
【発明の詳細な説明】
【０００１】
【発明の属する技術分野】
本発明は、ピアノタッチ操作で接点部の接点切換を行うピアノハンドル式スイッチに関するものである。
【０００２】
【従来の技術】
従来から図２１に示すようなピアノハンドル式スイッチが知られている。このピアノハンドル式スイッチは、押釦ハンドル３２が押し込まれたときに、この押釦ハンドル３２の押し込み動作にともなって反転ハンドル３１を反転回動させ、この反転ハンドル３１の反転回動に応じて接点部１００の切り換えを行うようにした押釦スイッチ５と、押釦スイッチ５の上部に取付けられ上記押釦ハンドル３２をピアノタッチ操作で押圧するピアノハンドル４３とを備えたものである。そして、ピアノハンドル４３のピアノタッチの操作により押釦スイッチ５の接点部１００を切り換えるようにしている。
【０００３】
従来のピアノハンドル式スイッチにおいては、ピアノハンドル４３に、軸支端側の下面から一対の回動片４３ａを垂設すると共に、押圧操作端側の下面から押釦スイッチ５からの抜け止め用の一対の抜止片４３ｂを垂設してある。上記回動片４３ａはカバー５ｂに形成された凹部５４に係合され、抜止片４３ｂが空所１２内に挿入され、抜止片４３ｂ側の押圧操作端側を押圧すると、回動片４３ａ側を支点としてピアノタッチ式に回動するようになっている。
【０００４】
【発明が解決しようとする課題】
ところで、上記のようなピアノハンドル式スイッチに用いられる押釦スイッチ５の器体は規格化された埋込型の配線器具の１個モジュール寸法となっており、一方壁面に取付けられる取付け枠２は通常３個モジュールのサイズとなっていて、取付け枠２に１個、又は２個、又は３個の押釦スイッチ５が取付けられるようになっている。一方、押釦スイッチ５に取付けられるピアノハンドル４３は操作性を良くするため押釦スイッチ５よりも上下方向の幅を長くしてある。ここで、該取付け枠２に上中下３個の押釦スイッチ５を取付けた場合、中間の押釦スイッチ５に取付けるピアノハンドル４３は、そのセンターが押釦スイッチ５と一致しているが、上下の押釦スイッチ５に取付けるピアノハンドル４３は、そのセンターが押釦スイッチ５と一致しない。このため、上、中間、下の各ピアノハンドル４３は従来は別々に形成したものを使用しており、部材点数が増すという問題があった。
【０００５】
また、従来にあっては、押釦スイッチに接点部の切り換えを表示する発光手段を備え、３個用のピアノハンドルにそれぞれ発光表示部を設け、各ピアノハンドルの下面部に各押釦スイッチの発光手段の光を発光表示部に導光するためのプリズムを設ける場合、上用、中用、下用の各押釦スイッチにそれぞれ取付けるピアノハンドルに設けるプリズムが共通化してなかった。
【０００６】
本発明は上記の従来例の問題点に鑑みて発明したものであって、その目的とするところは、３個用のピアノハンドルを共通のものとすることで部品の種類を少なくし、また、合理的な構成のプリズムにより上用、中用、下用の押釦スイッチに設けた発光手段からの光を各押釦スイッチに取付けたピアノハンドルの発光表示部で発光させるに当たり、共通のプリズムを使用することができるピアノハンドル式スイッチを提供することを課題とする
。
【０００７】
【課題を解決するための手段】
上記従来例の問題点を解決して本発明の課題を達成するため、本発明のピアノハンドル式スイッチは、押釦ハンドル３２が押し込まれたときに、この押釦ハンドル３２の押し込み動作にともなって反転ハンドル３１を反転回動させ、この反転ハンドル３１の反転回動に応じて接点部１００の切り換えを行うようにし、接点部１００の切り換えを表示する発光手段１０１を備えた規格化された埋込型の配線器具の１個モジュールとなった押釦スイッチ５と、１個モジュールの押釦スイッチ５を上下方向に上、中、下の３個並べて取付けることのできる３個モジュールの取付け枠２と、押釦スイッチ５の接点部１００の切り換えを行うようにした押釦スイッチ５の上部に取付けられ上記押釦ハンドル３２をピアノタッチ操作で押圧する発光表示部１１３を備えたピアノハンドル４３とを備え、上記３個モジュールの取付け枠２に１個モジュールの押釦スイッチ５を上、中、下の３個並べて取付け、上用の押釦スイッチ５、中用の押釦スイッチ５、下用の押釦スイッチ５にそれぞれ押釦スイッチ５よりも上下長さの長い３個用のピアノハンドル４３を取付け、上記上用の押釦スイッチ５に取付ける３個用のピアノハンドル４３、中用の押釦スイッチ５に取付ける３個用のピアノハンドル４３、下用の押釦スイッチ５に取付ける３個用のピアノハンドル４３を共通のものとしたピアノハンドル式スイッチにおいて、各ピアノハンドル４３の下面部に各押釦スイッチ５の発光手段１０１の光を発光表示部１１３に導光するための共通のプリズム２００を設け、該プリズム２００が、発光表示部１１３に対向する出射面２０１と、出射面２０１の背方に設けた、中用の押釦スイッチ５の発光表示部１１３と対向する第１の入射面２０２と、出射面２０１の背方側から上向き及び下向きに設けられた側方突出プリズム部２０７と上向き及び下向きの側方突出プリズム部２０７の背面部に設けた、下用及び上用の押釦スイッチ５の発光表示部１１３と対向する第２の入射面２０３とを有し、第１及び第２の入射面２０２、２０３に入射した発光手段１０１からの光が、出射面２０１から発光表示部１１３に出射されるように構成し、上記各ピアノハンドル４３を押釦スイッチ５の上部に取付ける軸支部をピアノハンドル４３に設けた弾性体により形成され下開口がはめ込み用開口部１９０となった軸受け部１９１と、該弾性体により形成した軸受け部１９１のはめ込み用開口部１９０にはめ込まれる押釦スイッチ５の上部に設けた軸部１９２とで構成し、軸部１９２を軸受け部１９１に嵌合して構成した軸支部を支点としてピアノハンドル４３により押釦ハンドルを押圧自在として成ることを特徴とするものである。このように１個モジュールの押釦スイッチ５を上、中、下の３個並べて取付け、上用の押釦スイッチ５、中用の押釦スイッチ５、下用の押釦スイッチ５にそれぞれ押釦スイッチ５よりも上下長さの長い３個用のピアノハンドル４３を取付け、上記上用の押釦スイッチ５に取付ける３個用のピアノハンドル４３、中用の押釦スイッチ５に取付ける３個用のピアノハンドル４３、下用の押釦スイッチ５に取付ける３個用のピアノハンドル４３を共通のものとすることで、部品の種類を少なくすることができる。また、合理的な構成で、上用、中用、下用という３個用のピアノハンドル４３に設けるプリズム２００を共通のものとすることができる。
【０００９】
【発明の実施の形態】
まずピアノハンドル式スイッチの基本的構造から説明する。本実施形態のピアノハンドル式スイッチは、押釦ハンドル３２の押圧操作により２組の接点部の接点切換が行われる押釦スイッチ５と、該押釦スイッチ５を取付ける取付け枠２と、押釦スイッチ５の上面に一端部が回動自在に軸支され他端部を押圧して押釦ハンドル３２を押圧操作するピアノハンドル４３とからなる。押釦スイッチ５の器体は、合成樹脂製のボディ５ａとカバー５ｂとで形成されており、規格化された既製の埋込型の配線器具の１個モジュール寸法に形成してある。そして、押釦スイッチ５の表面側の部材であるカバー５ｂには、既製の配線器具を埋設する場合に用いる取付枠２に着脱自在に取付可能とするために、両端面に一対の係止爪１１ａ，１１ｂを夫々突設してあり、一方の係止爪１１ｂの背部には空所１２を形成し、係止爪１１ｂが背方へ弾性的にたわむようにしてある。従って、既製の配線器具用の取付枠２に係止爪１１ａ，１１ｂを係止させて押釦スイッチ５を着脱自在に取り付けることができ、既製の埋込型の配線器具と同様にして壁面などの造営面に埋設できるようにしてある。
【００１０】
この押釦スイッチ５のボディ５ａ内の一端部に接続端子収納部１３を形成し、また、他端部に接続端子収納部１４を形成し、更に中央部に中央収納部２３を形成してあり、一端部の接続端子収納部１３に鎖錠ばね１１０を内装した端子板１５が収納され、また、他端部の接続端子収納部１４には鎖錠ばね１１０を内装した端子板１８が収納される。図中１１１はボディ５ａの両側に配置される２つの鎖錠ばね１１０の解除釦である。そして、端子板１５と鎖錠ばね１１０と解除釦１１１とで速結端子が構成してある。
【００１１】
ここで端子板１８には固定接点２５が固着された延設片１８ａを形成してあり、この延設片１８ａを隔壁６０ａに近接する中央収納部２３側に延出してあり、延設片１８ａに固定接点２５が設けてある。ここで延設片１８ａは中央収納部２３内に位置している。
【００１２】
また端子板１５から中央収納部２３に支持片１５ａが延出してあり、開閉体２４が中央収納部２３内に入れられて導電体からなる各開閉体２４の下端が支持片１５ａ上に回動自在に立設してある。ここで、開閉体２４の両端下部に設けた突部を中央収納部２３の内側壁に形成されたＶ状凹部２７に嵌め込んで、Ｖ状凹部２７の下部を中心に回動自在となっている。開閉体２４には可動接点２９が設けてある。そして、開閉体２４の回動に応じて可動接点２９を固定接点２５に接離して、端子板１５と端子板１８との間の接続、切離を行う。
【００１３】
実施形態においては上記のように固定接点２５と可動接点２９とで接点部１００が構成してある。上記接点部１００の開閉を行うための開閉体２４は反転ハンドル３１の反転回動により操作されるように構成してある。
【００１４】
すなわち、反転ハンドル３１の下部には下方に開口した筒部３１ａが並設してあり、反転ハンドル３１の下部の筒部３１ａにはコイルスプリング９９の上部が納められ、各コイルスプリング９９の下部が上記開閉体２４の上縁に係止され、反転ハンドル３１の回動に応じて開閉体２４を反転駆動するようになっている。
【００１５】
反転ハンドル３１は、両側に設けた逆三角形状の軸３１ｂをカバー５ｂの内壁に形成された軸受け９８に枢支して回動自在に取り付けられ、上部の両端にスライドカム３３に掛合する掛合突起３４を突設してある。押釦ハンドル３２はカバー５ｂに上下動自在に取り付けられ、下方に配置される復帰ばね３７により常時上方に付勢されている。スライドカム３３は両端下面に上記反転ハンドル３１の掛合突起３４に摺動係合する掛合カム体３８が形成され、押釦ハンドル３２の下面側において摺動自在に取り付けられ、内部に形成されたハ状の一対のばね片３３ａの間に押釦ハンドル３２の下面に形成している突起３２ａが挿入され、このばね片３３ａで復帰力を与えている。
【００１６】
図１に示すように、押釦スイッチ５の器体のカバー５ｂの表面側端部には横向きとなった軸部１９２が突設してある。この軸部１９２は上部が横向きの円柱形状をしている。
【００１７】
ピアノハンドル４３は、図２や図４に示すように、背面部の一端部に下開口がはめ込み用開口部１９０となった軸受け部１９１が設けてある。この軸受け部１９１は弾性体により形成してあり、添付図面に示す実施形態においては金属製である。金属以外にも合成樹脂により形成してもよい。ここで、金属製あるいは合成樹脂製のいずれの場合にも軸受け部１９１は合成樹脂により形成するピアノハンドル４３自体よりも強度が強いものが用いられる（つまり、軸受け部１９１を金属で形成した場合はもちろん、合成樹脂で形成した場合も合成樹脂で形成したピアノハンドル４３自体よりも強い強度の素材を使用する）。下方に開口したはめ込み用開口部１９０は軸受け部１９１の内部よりも幅狭となっており、前述の押釦スイッチ５の上部に設けた軸部１９２を弾性的にはめ込んだ場合、軸部１９２と軸受け部１９１との嵌合が外れないようになっている。このように軸部１９２を軸受け部１９１に回動自在にはめ込むことでピアノハンドル４３を回動自在に軸支するたの軸支部が構成してある。そして、この軸支部を中心にしてピアノハンドル４３を回動させる場合、回動する方のピアノハンドル４３の裏面部に直接軸受け部１９１を設けてあることで、回動する方のピアノハンドル４３の裏面部に下方に長く突出する従来例における回動片のようなクリープ変形する部位が存在しなくなるものである。なお、ピアノハンドル４３の他端には背方に向けて抜け止め用の一対の抜止片４３ｂを突設してある。抜止片４３ｂが空所１２内に挿入され、ピアノハンドル４３が回動しても抜止片４３ｂの先端が空所１２から抜けないようになっている。
【００１８】
上記のようにピアノハンドル４３が押釦スイッチ５に取付けられるのであるが、ピアノハンドル４３を押圧操作すると、軸受け部１９１と軸部１９２との軸支部を中心にしてピアノハンドル４３がピアノタッチ式に回動する。そして、このピアノハンドル４３の回動により押釦スイッチ５の押釦ハンドル３２を押圧操作する。
【００１９】
次に、上記押釦スイッチ５の動作を簡単に説明する。図４の状態は固定接点２５に可動接点２９が接しているオンの状態である。いま、図４の状態で、ピアノハンドル４３を操作したとすると、ピアノハンドル４３の操作に伴って押釦ハンドル３２が復帰ばね３７に抗して押し下げられ、押釦ハンドル３２の押し下げによりスライドカム３３が下降する。そして、スライドカム３３の図中左側の掛合カム体３８が、反転ハンドル３１の左側の掛合突起３４に当たることにより、反転ハンドル３１が回動される。このとき、反転ハンドル３１の回動に伴ってスライドカム３３が図中の左側にスライドしている。このようにして反転ハンドル３１が反転回動されると、コイルスプリングが反転して開閉体２４が反転し、可動接点２９が固定接点２５から離れてオフ状態となる。この反転後、ピアノハンドル４３の押し下げ力を解除すると、復帰ばね３７で押釦ハンドル３２が押し上げられ、このときピアノハンドル４３が元の状態に戻る。そして、これと同時にスライドカム３３もばね片３３ａのばね力で中央部に摺動復帰する。この状態オフ状態から再びピアノハンドル４３を押し下げ操作すると、上記とは逆に反転ハンドル３１が回動して可動接点２９が固定接点２５から離れてオンとなる。
【００２０】
押釦スイッチ５内には発光手段１０１が設けてあり、ピアノハンドル４３には発光手段１０１からの光が表示される発光表示部１１３が設けてある。発光手段１０１は接点部１００がオンの場合に発光するものと、接点部１００がオフの場合に発光するものとがある。添付図面に示す実施形態では発光手段１０１がほたる表示をするためのパイロットランプである場合の例が示してあるが、この実施形態の場合、可動接点２９が固定接点２５から離れてオフ状態となっている時発光する。そしてこの発光手段１０１による発光はピアノハンドル４３に設けた発光表示部１１３で視認できる。また、図示は省略しているが、接点部１００がオンの場合に発光手段１０１が発光するものの場合、接点部１００のオン、オフにより「入り」、「切り」される負荷（例えば空調装置）などの「入り」状態が発光表示部１１３において発光手段１０１の発光により視認できるものである。
【００２１】
ところで、本発明においては、規格化された埋込型の配線器具の１個モジュールとなった押釦スイッチ５を取付ける取付け枠２は一般に上記１個モジュールの押釦スイッチ５を上下方向に３個並べて取付けることができる３個モジュールとなっており、本発明においては、この３個モジュールの取付け枠２に１個モジュールの押釦スイッチ５を３つ取付け
ると共に３つの押釦スイッチ５にそれぞれ３個用のピアノハンドル４３を取付けて構成するピアノハンドルスイッチに係るものである。
【００２２】
また、３個用のピアノハンドル４３の上下長さは操作性を良くするため押釦スイッチ５よりも上下方向の長さを長くしてある。
【００２３】
図１乃至図２０には３個用のピアノハンドル４３を押釦スイッチ５に取付ける本発明の実施形態が示してある。ピアノハンドル４３の一端部の裏面部に取付けられる軸受け部１９１としては軸芯方向（上下方向）に長いものが用いられる。つまり、図１に示すように、上下方向の中間部分の軸受け部１９１ａを長く、上下方向の一方側の端部の軸受け部１９１ｂと他方側の端部の軸受け部１９１ｃとを短く形成したものが開示してある。そして、図６乃至図７に示すように取付け枠２に上下方向に３個の押釦スイッチ５を並べて取付けた場合、中間の押釦スイッチ５にピアノハンドル４３を取付ける場合には中央の軸受け部１９１ａに中間の押釦スイッチ５の軸部１９２をはめ込んで取付けるものであり、このことにより図７のように中間の押釦スイッチ５のセンターと該中間の押釦スイッチ５に取付けるピアノハンドル４３のセンターとが一致するように取付けるものである。また、上の押釦スイッチ５にピアノハンドル４３を取付ける場合には上の軸受け部１９１ｂと中央の軸受け部１９１ａの上半分に上の押釦スイッチ５の軸部１９２をはめ込んで取付けるものであり、このことにより図７のように上の押釦スイッチ５のセンターよりも上の押釦スイッチ５に取付けるピアノハンドル４３のセンターが上にずれて位置するように取付けるものである。また、下の押釦スイッチ５にピアノハンドル４３を取付ける場合には下の軸受け部１９１ｃと中央の軸受け部１９１ａの下半分に下の押釦スイッチ５の軸部１９２をはめ込んで取付けるものであり、このことにより図７のように下の押釦スイッチ５のセンターよりも下の押釦スイッチ５に取付けるピアノハンドル４３のセンターが下にずれて位置するように取付けるものである。このようにすることで、共通の３個用のピアノハンドル４３として上用、中間用、下用のいずれにも共通して使用することができるものである。
【００２４】
ここで、上記３個用のピアノハンドル４３を用いたものにおいて、押釦スイッチ５に設けた発光手段１０１からの光をピアノハンドル４３に設けた発光表示部１１３から発光表示するに当たって、３個用のピアノハンドル４３には発光手段１０１の光を発光表示部１１３に導光するためのプリズム２００が設けてある。
【００２５】
図８にはプリズム２００の一例が示してある。本実施形態においては、プリズム２００は図８に示すように、出射面２０１が三角波状をした凹凸形状となっている。この三角波状をした凹凸形状の出射面２０１の背方に中用の押釦スイッチ５の発光表示部１１３からの光が入射する第１の入射面２０２が設けてある。また、凹凸形状となった出射面２０１の背方側から上下両側方に向けて側方突出プリズム部２０７が設けてあり、この側方突出プリズム部２０７の背面部に、上用の押釦スイッチ５又は下用の押釦スイッチ５からの光が入射して側方突出プリズム部２０７内で反射して凹凸形状の傾斜面２０４から発光表示部１１３に出射するための第２の入射面２０３が設けてある。上記の構成の図８に示すプリズム２００は３個用のピアノハンドル４３の背面側に出射面２０１が３個用のピアノハンドル４３に設けた発光表示部１１３に対向するように取付けてある。ここで、実施形態においては発光表示部１１３は開口で構成してあり、出射面２０１が発光表示部１１３である開口にはめ込んである。もちろん、発光表示部１１３に開口に透光板を取付けて構成し、透光板の背方に出射面２０１に位置させてもよい。
【００２６】
しかして、中間の押釦スイッチ５に取付けた３個用のピアノハンドル４３においては図７に示すように第１の入射面２０２が中間の押釦スイッチ５の発光手段１０１に対向し、また、上の押釦スイッチ５に取付けられた３個用のピアノハンドル４３においては下向きの側方突出プリズム部２０７の第２の入射面２０３が上の押釦スイッチ５の発光手段１０１に対向し、また、下の押釦スイッチ５に取付けられた３個用のピアノハンドル４３においては上向きの側方突出プリズム部２０７の第２の入射面２０３が下の押釦スイッチ５の発光手段１０１に対向するものである。
【００２７】
そして、上用あるいは下用の押釦スイッチ５の発光手段１０１から発光された光は、模式図である図９の矢印のように第２の入射面２０３から側方突出プリズム部２０７に入射し、側方突出プリズム部２０７内で反射して凹凸形状の傾斜面２０４から発光表示部１１３に向けて出射するのである。また、中用の押釦スイッチ５の発光手段１０１から発光された光は、模式図である図１０の矢印のように第１の入射面２０２から入射し、凹凸形状の傾斜面２０４から発光表示部１１３に向けて出射するのである。この場合、出射面２０１を三角波状の凹凸形状とすることで、出射面２０１から出射する光の出射を図９、図１０に示すようにほぼ同じ方向にすることができるものである。
【００２８】
プリズム２００としては上記の実施形態のものにのみ限定されない。すなわち図１３、図１４示すものは、出射面２０１背方に中用の押釦スイッチ５の発光表示部１１３からの光が入射する第１の入射面２０２が設けてある。また、出射面２０１よりも背方側から上下両側方に向けて側方突出プリズム部２０７が設けてあり、この側方突出プリズム部２０７の背面部に、上用の押釦スイッチ５又は下用の押釦スイッチ５からの光が入射して側方突出プリズム部２０７内で反射して凹凸形状の傾斜面２０４から発光表示部１１３に出射するための第２の入射面２０３が設けてある。そして、本実施形態においては、プリズム２００内に第１の入射面２０２から入射した光と第２の入射面２０３から入射した光を出射面２０１に向けるための境界部２１５を形成し、該境界部２１５を隙間２１６により形成してある。上記境界部２１５を構成する隙間２１６を形成するには、図１３に示すようにプリズム２００全体を一体構造のものとして内部に隙間２１６を形成したものでも、あるいは図１４のようにプリズム２００を複数のプリズム体２１８から構成し、隣接するプリズム体２１８を僅かに離して両プリズム体２１８間に境界部２１５となる隙間２１６を形成したりするものである。そして、第１の入射面２０２から入射した光は図１３の矢印イに示すように境界部２１５を構成する隙間２１６の側面でそれぞれ屈折して出射面２０１に向かって出射面２０１から出射する。また、第２の入射面２０３から入射した光は図１３の矢印ロ、ハに示すように境界部２１５に到り、ここで、反射、あるいは屈折して出射面２０１に向かって出射面２０１から出射する。上の第２の入射面２０３から入射した矢印ハに示す光は、図１３に示すように、境界部２０１で反射、屈折、屈折を経て出射面２０１に向かうようになっており、下の第２の入射面２０３から入射した矢印ロに示す光は、図１３に示すように、境界部２０１で反射して出射面２０１に向かうようになっている。
【００２９】
しかして、中間の押釦スイッチ５に取付けた３個用のピアノハンドル４３においては図１１、図１２に示すように第１の入射面２０２が中間の押釦スイッチ５の発光手段１０１に対向し、また、上の押釦スイッチ５に取付けられた３個用のピアノハンドル４３においては下向きの側方突出プリズム部２０７の第２の入射面２０３が上の押釦スイッチ５の発光手段１０１に対向し、また、下の押釦スイッチ５に取付けられた３個用のピアノハンドル４３においては上向きの側方突出プリズム部２０７の第２の入射面２０３が下の押釦スイッチ５の発光手段１０１に対向するものである。
【００３０】
そして、上用あるいは下用の押釦スイッチ５の発光手段１０１から発光された光は、模式図である図１３の矢印ロ又はハ（ロは下用、ハは上用）のように上又は下の第２の入射面２０３から側方突出プリズム部２０７に入射し、前述のように境界部２１５で反射、あるいは屈折して出射面２０１から出射するのである。また、中用の押釦スイッチ５の発光手段１０１から発光された光は、模式図である図１３の矢印イのように第１の入射面２０２から入射し、境界部２１５で屈折して出射面２０１から出射する。
【００３１】
また、図１５、図１６には３個用のピアノハンドル４３にネームプレート２５０を取付けるのは上記実施形態と同じであるが、発光表示部１１３を設けない場合の例が示してある。
【００３２】
また、図１７、図１８には３個用のピアノハンドル４３にネームプレート２５０は取付
けないが、発光表示部１１３を設ける場合の例が示してある。
【００３３】
また、図１９、図２０には３個用のピアノハンドル４３にネームプレート２５０も発光表示部１１３も設けない場合の例が示してある。
【００３４】
【発明の効果】
本発明の請求項１記載の発明にあっては、上述のように、３個モジュールの取付け枠に１個モジュールの押釦スイッチを上、中、下の３個並べて取付け、上用の押釦スイッチ、中用の押釦スイッチ、下用の押釦スイッチにそれぞれ押釦スイッチよりも上下長さの長い３個用のピアノハンドルを取付け、上記上用の押釦スイッチに取付ける３個用のピアノハンドル、中用の押釦スイッチに取付ける３個用のピアノハンドル、下用の押釦スイッチに取付ける３個用のピアノハンドルを共通のものとし、上記各ピアノハンドルを押釦スイッチの上部に取付ける軸支部をピアノハンドルに設けた弾性体により形成され下開口がはめ込み用開口部となった軸受け部と、該弾性体により形成した軸受け部のはめ込み用開口部にはめ込まれる押釦スイッチの上部に設けた軸部とで構成し、軸部を軸受け部に嵌合して構成した軸支部を支点としてピアノハンドルにより押釦ハンドルを押圧自在としてあるので、押釦スイッチよりも上下長さの長い３個用のピアノハンドルを弾性を有する軸受け部と、押釦スイッチ側に設けた軸部との嵌合により簡単に取付けることができるのみならず、３個用のピアノハンドルの共通化が図れ、部材点数を削減できるものである。しかも、各押釦スイッチに接点部の切り換えを表示する発光手段を備え、各ピアノハンドルに発光表示部を備え、各ピアノハンドルの下面部に各押釦スイッチの発光手段の光を発光表示部に導光するための共通のプリズムを設け、該プリズムが、発光表示部に対向する出射面と、出射面の背方に設けた、中用の押釦スイッチの発光表示部と対向する第１の入射面と、出射面の背方側から上向き及び下向きに設けられた側方突出プリズム部と上向き及び下向きの側方突出プリズム部の背面部に設けた、下用及び上用の押釦スイッチの発光表示部と対向する第２の入射面とを有し、第１及び第２の入射面に入射した発光手段からの光が、出射面から発光表示部に出射されるように構成したので、３個用のピアノハンドルに取付けるプリズムとして上用、下用、中間用として簡単な構成の共通のプリズムを使用することができるものである。このように本発明においては３個用のピアノハンドルを共通のものとすると共に３個用のピアノハンドルに取付けるプリズムを共通のものとすることができる。
【図面の簡単な説明】
【図１】本発明のピアノハンドル式スイッチの一部分解斜視図である。
【図２】同上の一部破断した斜視図である。
【図３】同上の分解斜視図である。
【図４】同上の断面図である。
【図５】同上の３個並べて取付ける例を示す斜視図である。
【図６】同上の正面図である。
【図７】同上の側面図である。
【図８】同上に用いるプリズムの一例の側面図である。
【図９】同上の作用説明図である。
【図１０】同上の作用説明図である。
【図１１】同上の他のプリズムを用いた正面図である。
【図１２】同上の側面図である。
【図１３】同上に用いるプリズムを示す側面図である。
【図１４】同上に用いるプリズムの更に他例を示す側面図である。
【図１５】同上の３個用のピアノハンドルの他の実施形態の分解斜視図である。
【図１６】同上の斜視図である。
【図１７】同上の３個用のピアノハンドルの一実施形態の分解斜視図である。
【図１８】同上の斜視図である。
【図１９】同上の３個用のピアノハンドルの更に他の実施形態の分解斜視図である。
【図２０】同上の斜視図である。
【図２１】従来例の断面図である。
【符号の説明】
２  取付け枠
５  押釦スイッチ
５ａ  ボディ
５ｂ  カバー
３１  反転ハンドル
３２  押釦ハンドル
４３  ピアノハンドル
１００  接点部
１０１  発光手段
１１３  発光表示部
１９０  はめ込み用開口部
１９１  軸受け部
２００  プリズム
２０１  出射面
２０２  第１の入射面
２０３  第２の入射面
２０７  側方突出プリズム
２１５  境界部
２１６  隙間
【図１】
0003567571.tif 000002
【図２】
0003567571.tif 000003
【図３】
0003567571.tif 000004
【図４】
0003567571.tif 000005
【図５】
0003567571.tif 000006
【図６】
0003567571.tif 000007
【図７】
0003567571.tif 000008
【図８】
0003567571.tif 000009
【図９】
0003567571.tif 000010
【図１０】
0003567571.tif 000011
【図１１】
0003567571.tif 000012
【図１２】
0003567571.tif 000013
【図１３】
0003567571.tif 000014
【図１４】
0003567571.tif 000015
【図１５】
0003567571.tif 000016
【図１６】
0003567571.tif 000017
【図１７】
0003567571.tif 000018
【図１８】
0003567571.tif 000019
【図１９】
0003567571.tif 000020
【図２０】
0003567571.tif 000021
【図２１】
0003567571.tif 000022